(57)【要約】【課題】部屋の中に雰囲気を作ることができる、空気の香り付け、消臭又は殺菌のための流体小出し器具の提供。【解決手段】本発明は、空気の香り付け、消臭又は殺菌のための流体を小出しする器具に関する。この器具は、シェード（８）を備えた本体（２）と、基部（６）を備えたシャーシ（１０）と、シャーシに取り付けられていて、小出しされるべき流体の入っている少なくとも１つのカートリッジ（３６）を収容するようになったカートリッジハウジング（３６）と、少なくとも１つの電気式光源（７４）とを有する。少なくとも１つの電気式光源（７４）は、カートリッジハウジング（２６）と本体（２）の側壁との間で基部（６）上に配置されている。【選択図】図１
2009512474.tif 000002
【特許請求の範囲】
【請求項１】
空気の香り付け、消臭又は殺菌のための流体を小出しする器具であって、前記器具は、シェードを備えた本体と、基部を備えたシャーシと、前記シャーシに取り付けられていて、小出しされるべき流体の入っている少なくとも１つのカートリッジを収容するようになったカートリッジハウジングと、少なくとも１つの電気式光源とを有し、前記少なくとも１つの電気式光源は、前記カートリッジハウジングと前記本体の側壁との間で前記基部上に配置されている、器具。
【請求項２】
前記本体の前記側壁は、前記シャーシの一部をなしている、請求項１記載の器具。
【請求項３】
前記本体の前記側壁は、前記シェードの一部をなしている、請求項１記載の器具。
【請求項４】
前記シェードは、前記少なくとも１つの電気式光源から出て前記シェードに当たる光が前記シェード上に炎の形をした光のパッチを生じさせるよう湾曲している、請求項１〜３のうちいずれか一に記載の器具。
【請求項５】
前記シェードは、前記シャーシから外方に湾曲し、次に前記カートリッジハウジングの頂部に向かって内方に湾曲するよう形作られている、請求項１〜４のうちいずれか一に記載の器具。
【請求項６】
前記シェードは、前記シャーシの下方部分から外方に湾曲している、請求項１〜５のうちいずれか一に記載の器具。
【請求項７】
複数個の電気式光源が、前記シャーシの周囲に沿って設けられている、請求項１〜６のうちいずれか一に記載の器具。
【請求項８】
前記少なくとも１つの電気式光源は、光強度が約５００〜１０，０００ｍｃｄの発光ダイオード（ＬＥＤ）である、請求項１〜７のうちいずれか一に記載の器具。
【請求項９】
５つの電気式光源が、前記カートリッジハウジングの周りに対称湾曲形状に配置されて設けられている、請求項１〜８のうちいずれか一に記載の器具。
【請求項１０】
通気穴が、前記シャーシに設けられ、少なくとも１つの電気式光源が、前記通気穴に隣接して配置されている、請求項１〜９のうちいずれか一に記載の器具。
【請求項１１】
各ＬＥＤにより２０°〜９０°の視角が提供される、請求項１〜１０のうちいずれか一に記載の器具。
【請求項１２】
熱源が、前記シャーシ上に配置され、前記熱源は、前記カートリッジからの前記流体の放出速度を加速するようになっている、請求項１〜１１のうちいずれか一に記載の器具。
【請求項１３】
フランジが、前記熱源から外方に延びている、請求項１２記載の器具。
【請求項１４】
前記フランジは、前記熱源から実質的に水平に延びている、請求項１３記載の器具。
【請求項１５】
直立カラーが、前記カートリッジハウジングに設けられている、請求項１〜１４のうちいずれか一に記載の器具。
【請求項１６】
前記直立カラーは、約４５ｍｍの高さだけ前記カートリッジハウジングから上方に延びている、請求項１５記載の器具。
【請求項１７】
前記直立カラーは、前記カートリッジハウジングから実質的に垂直に延びている、請求項１５又は１６記載の器具。
【請求項１８】
前記カラーは、前記カートリッジハウジングの少なくとも一部に沿って円周方向に延びている、請求項１５〜１７のうちいずれか一に記載の器具。
【請求項１９】
煙突が、前記本体内に配置され、前記煙突は、空気流が前記器具を流通して前記流体を拡散させることができるように少なくとも１つの切欠きを有する、請求項１〜１８のうちいずれか一に記載の器具。
【請求項２０】
前記煙突は、前記本体のチャネル回りに回転可能であり、前記チャネルが、前記少なくとも１つの切欠きと協働する少なくとも１つの開口部を有している、請求項１９記載の器具。
【請求項２１】
前記煙突を前記チャネルに対して動かすよう操作可能なスイッチが、前記本体に設けられている、請求項１９又は２０記載の器具。
【請求項２２】
前記カートリッジは、ウィック型カートリッジであり、前記流体は、前記熱源により揮発してガスを生じさせるフレグランスである、請求項１〜２１のうちいずれか一に記載の器具。
【請求項２３】
少なくとも１つのねじ穴が、前記少なくとも１つの電気式光源に隣接して前記本体に設けられている、請求項１〜２２のうちいずれか一に記載の器具。
【請求項２４】
前記本体は、互いに解除可能な仕方で保持されたシェードとシャーシを更に備えている、請求項１〜２３のうちいずれか一に記載の器具。
【請求項２５】
前記カートリッジハウジングは、不透明な材料で作られている、請求項１〜２４のうちいずれか一に記載の器具。
【請求項２６】
前記少なくとも１つの電気式光源は、選択された動作モードに従って可視的に変調された光出力を生じさせるよう動作可能である、請求項１〜２５のうちいずれか一に記載の器具。
【請求項２７】
空気の香り付け、消臭又は殺菌のための流体を小出しする器具を含む組立体であって、前記器具は、シェードを備えた本体と、基部を備えたシャーシと、前記シャーシに取り付けられていて、小出しされるべき流体の入っている少なくとも１つのカートリッジを収容するようになったカートリッジハウジングと、少なくとも１つの電気式光源とを有し、前記少なくとも１つの電気式光源は、前記カートリッジハウジングと前記本体の側壁との間で前記基部上に配置されており、前記組立体は、小出しされるべき流体の入っている少なくとも１つのカートリッジを更に含む、組立体。
【発明の詳細な説明】
【技術分野】
【０００１】
本発明は、空気の香り（フレグランス）付け、消臭又は殺菌のための流体を小出しする器具に関する。本発明は、特に、電灯を備えた空気清浄器具（air freshening device ）又はエアフレッシュナー器具に関する。
【背景技術】
【０００２】
エアフレッシュナー器具は、特に家庭環境においてはありふれたものであり、家庭環境では、エアフレッシュナー器具を用いて心地良い香りを作り又は悪臭のあることを分からないようにする。かかる器具は、一般に２つの形式、即ち、電源ソケットから離れて配置でき、電気リード線又は電池によって電気的に作動できるスタンドアロン型のもの及び電源ソケットに直接プラグ接続される差し込み型器具と呼ばれている形式のものである。通常、これら上述の形式のうちのいずれか一方は、フレグランス補充（詰め替え）カートリッジと組み合わせて利用される。補充カートリッジは、中に入っているフレグランスが空気との接触時に出ていくゲルを利用するもの又はエアゾールを利用するものである場合があり、或いは、別の例として、補充カートリッジは、ウィックを利用するものである場合があり、この場合、香りが付けられた液体がウィックで吸い上げられて空気への露出時に蒸発する。
【０００３】
消費者に視覚的に訴えるエアフレッシュナー器具を製造するのが現在の技術的動向になっている。しかしながら、かかる器具は、形状は人目を引くものであるが、部屋の中に雰囲気を作るという目的を達成するようなものではない。その代わりとして、消費者は、伝統的なろうそくを燃やすことを選択する場合が多い。というのは、ろうそくの光がゆらゆらと又はちらちらとして、これがムードを高めるものとして評判が高いからである。
【発明の開示】
【発明が解決しようとする課題】
【０００４】
ろうそくは、燃焼時間が制限されている。特に、燃えているろうそくの最初の視覚的効果は、ろうが溶けるにつれてすぐに低下する。比較的短い期間で、部屋の中の所望の雰囲気が失われ、この雰囲気を改善するには、消費者が新品のろうそくに火を灯すしかない。燃えているろうそくに特有の欠点は、ろうそくが煙を生じ、この煙が部屋の装飾をタールで汚す場合があること及びこれら燃えているろうそくが家の火災を引き起こす明らかな恐れが生じることにある。火災の恐れにより、消費者は、燃えているろうそくを放っておかないように気をつけなければならない。
【０００５】
ろうそくに香りを付けることができるが、消費者は、フレグランスが室内に出る速度に対する管理が制限されている。さらに、ろうそくから出た煙は、フレグランスを隠して分からないようにする場合がある。
【０００６】
本発明の目的は、上述の問題を解決しようとする空気の香り付け、消臭又は殺菌のための流体の小出し器具を提供することにある。
【課題を解決するための手段】
【０００７】
本発明の特徴によれば、空気の香り付け、消臭又は殺菌のための流体を小出しする器具であって、器具は、シェードを備えた本体と、基部を備えたシャーシと、シャーシに取り付けられていて、小出しされるべき流体の入っている少なくとも１つのカートリッジを収容するようになったカートリッジハウジングと、少なくとも１つの電気式光源とを有し、少なくとも１つの電気式光源は、カートリッジハウジングと本体の側壁との間で基部上に配置されていることを特徴とする器具が提供される。
【０００８】
好ましくは、本体の側壁は、シャーシの一部をなす。変形例として、本体の側壁は、シェードの一部をなす。
【０００９】
好ましくは、シェードは、少なくとも１つの電気式光源から出てシェードに当たる光がシェード上に炎の形をした光のパッチを生じさせるよう湾曲している。
【００１０】
好ましくは、シェードは、シャーシから外方に湾曲し、次にカートリッジハウジングの頂部に向かって内方に湾曲するよう形作られている。さらに好ましくは、シェードは、シャーシの下方部分から外方に湾曲している。
【００１１】
この構成により、フレグランス、消臭剤又は殺菌剤を空気中に小出しするよう動作すると共にろうそくの火のゆらゆらとしている状態を思い出させる照明効果をもたらすことができる器具を提供できる。このようにする場合、この器具の使用により、伝統的なろうそくを燃やす必要性が無くなる。有利には、この器具は、燃えているろうそくと関連した危険が生じること無く動作し、従って、これを室内に放っておいたままにすることができる。
【００１２】
光源を器具の基部上に配置することにより、ろうそくのゆらゆら効果が、器具の基部から見える。
【００１３】
部屋内の所望の雰囲気をこの器具の使用により容易且つ迅速に達成することができる。さらに、器具は、長時間にわたって稼働状態のままにしておくことができるので、雰囲気は、例えば一晩中実質的に持続可能である。器具の本体に設けられた電灯の所望のゆらゆら効果は、ろうそくの炎に似ており、かかる所望のゆらゆら効果は、消費者が電灯又は器具をオフに切り替えることを選択するまで保たれる。
【００１４】
有利には、この器具は、ろうそくをシミュレートしており、部屋に香り付けすることができる。煙をも生じる香り付けろうそくとは異なり、器具からの蒸気は、フレグランスが生じていることが分からないようにすることはなく、出ている間ずっとフレグランスを保持する。
【００１５】
好ましくは、少なくとも１つの光源は、光強度（光度）が好ましくは約５００〜１０，０００ミリカンデラ（ｍｃｄ）、好ましくは約３，０００〜５，０００ｍｃｄ、最も好ましくは約３，９００ｍｃｄの発光ダイオードである。かかるＬＥＤは、所望の効果を生じさせるのに十分な光をもたらすが、同時に、動作するのに必要な電気的エネルギーは僅かである。さらに、ＬＥＤは、使用中昇温せず、従って、消費者用製品に組み込んで安全な光源である。好ましくは、この器具は、消費者が少なくとも１つの光源の強度を調節するための手段を備えている。さらに好ましくは、この器具は、少なくとも１つの光源の輝度をフレグランスの伝搬強度に直接関連させる手段を備える。
【００１６】
好ましくは、器具周辺に実質的に一様な照明効果をもたらす複数個の光源が設けられる。
【００１７】
シャーシに取り付けられたＬＥＤは、器具の本体の周囲の実質的に３６０°にわたって効果的な照明効果をもたらす。このように、消費者が器具を見る方向の如何にかかわらず、ゆらゆらを生じているろうそくの炎と同一の所望の効果が達成される。有利には、消費者は、器具を部屋内の巧妙な位置に配置する必要はない。これとは異なり、消費者にアピールする器具の配置場所の選択は、制限されない。
【００１８】
最も好ましくは、５つの電気式光源が、カートリッジハウジングの周りに対称湾曲形状に配置された状態で、好ましくは円形の配置状態で設けられる。特に好ましい構成は、チャンバ周りに蹄鉄形である。
【００１９】
この形態は、所望の効果をもたらす一方で、ＬＥＤの個数を最小限に保つ上で最も効果的であることが判明した。
【００２０】
好ましくは、５つの光源の各々は、光強度が好ましくは５００〜１０，０００ｍｃｄ、好ましくは３，０００〜５，０００ｍｃｄ、特に好ましくは３，８００〜４，０００ｍｃｄの発光ダイオードである。
【００２１】
好ましくは、各光源について約５°〜１８０°、好ましくは２０°〜９０°、最も好ましくは実質的に５０°の視角が提供される。
【００２２】
好ましくは、熱源が、本体、好ましくはシャーシ上に配置されていて、カートリッジからの流体の放出速度を加速するようになっている。熱源は、器具内の流体、例えば、液体フレグランス、消臭用流体又は殺菌用流体の蒸発を引き起こす熱を生じさせる。当然のことながら、別の流体蒸発方法、例えば、振動（圧電）プレート技術又はＰＣＴセラミックヒータの使用が可能である。
【００２３】
より好ましくは、熱源は、熱源から外方に延びるフランジを有する。好ましくは、光は、使用の際、フランジに向かって上方を照らし、それによりフランジの影を本体の第１の端部に向かって上方に投影する。
【００２４】
フランジは、器具のハウジング内の例えば見苦しい配線のシャドウイング効果を最小限に抑えるバイザ（ひさし）としての役目を果たす。特に、フランジは、電力を熱源に供給するコネクタに光が当たることによって生じるシャドウイングを最小限に抑えるよう働く。この変形例として、フランジは、光がフランジに当たることにより特定のテーマを持つ影が作られるように形作られていても良い。特定のテーマを持つ影をシェードに投影させて消費者に見えるようにするのが良い。影は、例えば星のような形であっても良く、或いは、メッセージを表示するテキストを含んでいても良い。
【００２５】
好ましくは、カートリッジハウジングは、カートリッジの寸法形状とほぼ同じ寸法形状を有する。好ましくは、カートリッジハウジングには弾性手段が設けられる。好ましくは、複数個のカートリッジハウジングがシャーシ上に配置される。
【００２６】
カートリッジハウジングは、カートリッジをぴったりとした解除可能な仕方で受け入れるよう形作られている。形状が一致しているので、カートリッジを１つの向きでしかカートリッジハウジング内に嵌め込むことができない。有利には、カートリッジは、自動案内方式で働き、従って、カートリッジを正確に嵌めなければならないという精神的負担が消費者から実質的に除かれる。この構成は又、器具のウィックの損傷を阻止するのに役立つ。かくして、この構成は、消費者のあらゆる年齢及び能力に適合している。
【００２７】
好ましくは、カートリッジハウジングは、直立したカラーを有し、この直立カラーは、好ましくは、約４５ｍｍの高さだけカートリッジハウジングから上方に延び、好ましくは、ハウジングから実質的に垂直に延びる。カラーは、好ましくは、熱源の高さを越えて延びる。好ましくは、カラーは、チャンバとシェードとの間に配置される。好ましくは、前側のＬＥＤから生じた光の最大広がり角度は、このＬＥＤからの光が外部からは見えないカラー上にのみ影を落とすようなものである。
【００２８】
カラーは、例えば配線からの見苦しい反射光がシェードに現われて器具の外観を損ねるのを阻止する。さらに、カラーは、シャーシの内部部品により生じるシャドウイング効果を制御する。具体的には、カラーは、内部部品上の影を減少させる反射器としての役目を果たす。
【００２９】
好ましくは、シャーシ及びシェードの内部部品は、鋭利なコーナー部又は尖った縁部の無い滑らかな輪郭のものである。さらに、スナップ嵌め部及びねじ先は、滑らかになっている。このように、シャドウイングを生じさせる機会が最小限に抑えられている。
【００３０】
フランジ及び滑らかな輪郭の利用は、光がシェード及びシャーシの内面の種々の部分に当たって跳ね返ることにより生じるシャドウイング効果を制御するのに役立つ。望ましくないシャドウイング効果を最小限に抑えることにより、外部器具は、ろうそくの炎のゆらゆら効果の明確な像を示す。
【００３１】
最も好ましくは、本体の幾つかの部分、好ましくはカートリッジハウジングは、不透明な材料で作られる。不透明な材料は、光源から輝く光に対するバリヤとしての役目を果たし、従ってシャドウイング効果の発生の恐れを一段と減少させる。
【００３２】
好ましくは、像投影部分が本体に設けられ、この像投影部分は、好ましくは、シャーシ又はシェードに対して動くことができる。像投影部分は、光が像投影部分に当たると、この部分の像が本体の表面、好ましくはシェード上に投影されるよう本体に設けられている。この部分を設けることは、消費者にとって満足感がある。例えば、器具がレストランで用いられている場合、レストランの名称又はロゴを像投影部分に組み込むことができる。この場合、名称又はロゴは、器具のシェード上に反射されることになる。反射光は、像投影部分が本体に回転可能に取り付けられている場合、シェード回りに回転するようになる。好ましくは、フレグランスが、ろうそくのゆらゆら効果及び像の旋回効果と同時に器具から出る。
【００３３】
好ましくは、煙突が、本体内に配置され、煙突は、空気流が器具を流通して流体を拡散させることができるように少なくとも１つの切欠きを有する。好ましくは、煙突は、本体のチャネル回りに回転可能であり、チャネルが、少なくとも１つの切欠きと協働する少なくとも１つの開口部を有する。煙突は、器具により完全に包囲されていても良くそうでなくても良い。
【００３４】
好ましくは、煙突は、長さが約０．５ｃｍ〜１０ｃｍ、より好ましくは１ｃｍ〜５ｃｍ、最も好ましくは２ｃｍ〜３ｃｍである。特に好ましい実施形態では、煙突の長さは、約２．５ｃｍである。好ましくは、煙突の内径は、約０．５ｃｍ〜１．５ｃｍ、最も好ましくは約０．９ｃｍ〜１．２ｃｍである。好ましくは、内径は、煙突の長さとほぼ同じ近似測定値のものである。好ましくは、煙突の内径は、チャネルの内径に実質的に等しい。
【００３５】
好ましくは、煙突をチャネルに対して動かすよう操作可能なスイッチが、本体に設けられている。好ましくは、スイッチは、煙突を含む成形品の一体部分である。好ましくは、スイッチは、ハウジング内に内方に延びる。好ましくは、スイッチを多数の位置に動かすことができる。
【００３６】
スイッチにより、チャネルに対する煙突の動きが生じる。したがって、切欠きを開口部に対して位置決めするのが良い。例えば、切欠きを開口部に整列させると、器具を通る最大空気流が達成され、流体の蒸発速度が増大する。有利には、消費者は、スイッチを回すだけで例えばフレグランスの放出速度を制御することができる。
【００３７】
好ましくは、少なくとも１つの電気式光源は、選択された動作モードに従って可視的に変調された光出力を生じさせるよう動作可能である。光の変調は、ランダムであっても良く、準ランダムであっても良く、順序付けされたやり方でパルス化されても良い。変調は、時間スケールにわたって光出力を変化させて好ましくはＬＥＤの色を所与の期間、好ましくは２０秒間、より好ましくは１５秒間、最も好ましくは約１０秒間にわたって変化させることを意味している。好ましくは、サイクル時間を約１秒〜６０秒、好ましくは１．５秒〜５０秒、最も好ましくは約２．５秒〜４０秒に設定するための速度制御オプションが設けられる。
【００３８】
例えば、ＬＥＤは、最初にスイッチでオンにされると、冷炎（低温フレーム）に似た黄色に光ることができる。所与の期間、例えば１時間にわたり、ＬＥＤは、色を橙色に、次に赤色に変えることができる。このように、器具は、始めから終わりまで同一の照明効果を作る単一色ＬＥＤよりも自然で且つムードを高めると考えられる、経時的に色及び強度が深まる燃えている炎に似た効果を生じさせる。好ましくは、各発光ダイオードは、同一色のものであり、好ましくは、黄色又は橙色のものであるが、これには限定されない。変形例として、色は、白色、赤色、緑色又は青色から選択できるが、必ずしもこれには限定されない。さらに好ましくは、各ＬＥＤは、隣りのＬＥＤとは異なる色のものである。変形例として、各発光ダイオードは、ＲＧＢ型ＬＥＤである。
【００３９】
最も好ましい構成では、カートリッジは、ウィックを利用したカートリッジであり、流体は、熱源により蒸発するフレグランスである。
【００４０】
本発明の別の特徴によれば、空気の香り付け、消臭又は殺菌のための流体を小出しする器具であって、この器具が、小出しされるべき流体の入っているカートリッジを受け入れるハウジングを備え、このハウジングは、流体が空気に向かって出ることができるようにする孔を有し、前記器具が、変調された光出力を生じさせるよう動作できる少なくとも１つの電気式光源を備え、ハウジング上へのシャドウイングを最小限に抑えるようになった影抑制要素がハウジングに設けられた器具が提供される。
【００４１】
本明細書において説明する特徴の全てを上述の特徴の任意のものと任意の組み合わせをなして組み合わせることができる。
【発明を実施するための最良の形態】
【００４２】
次に、添付の図面を参照して本発明の実施形態を例示としてのみ説明する。
【００４３】
図１は、本発明の空気香り付け器具２を示している。空気香り付け器具２は、面取りされた第１の端部４及び基部６を備えた全体としてセイヨウナシ形の本体を有している。空気香り付け器具２は、シェード８及びシャーシ１０を備えている。シェード８及びシャーシ１０は、互いに押し込み嵌め方式で保持されているが、理解されるように、シェード８をシャーシ１０から取り外すことができる任意の嵌合方式、例えばねじ込み型嵌合方式が同じように適している。
【００４４】
シェード８は、第１の端部４及び第２の端部１２を備えている。第１の端部４は、孔１４が設けられた傾斜面を有し、流体は、この孔を通って空気香り付け器具２から出る。多数の開口部１７が設けられたチャネル１６が、図２に示すように、孔１４からシャーシ１０に向かって下方に延びている。スイッチ２０が、第１の端部４に設けられたスロット２２内に配置されている。スロット２２は、流体の分散を生じさせるために、スイッチ２０が少なくとも第１の位置から少なくとも第２の位置まで動くことができるのに十分な長さのものである。スイッチ２０には多くの突起が設けられており、これら突起は、空気香り付け器具２のユーザがスイッチ２０を動かす際に押すことができる掴み面を提供する。
【００４５】
シャーシ１０は、平面図で見て全体が円形であり、このシャーシは、図２及び図３に示すようにスカート２４及びチャンバ２６を備えている。以下に詳細に説明するように、回路板２８が、シャーシ１０に取り付けられた状態で収納されている。ケーブル開口部２９が、スカート２４に設けられ、ケーブル３０が、このケーブル開口部を通って器具２内に延びている。ケーブル３０は、回路板２８に接続されていて、電力を空気香り付け器具に供給するようになっている。スカート２４は、支持面３１に接合するよう下方に湾曲している。支持面３１は、基部６の一部をなすよう内方に湾曲している。
【００４６】
図４に示すように、スカート２４には弧状通気穴３２が成形により設けられている。通気穴３２は、シャーシ１０の下を延びて支持面３１に設けられた開口部３４と協働する。動作中、通気穴３２により、ユーザは、器具２内のカートリッジ３６を見ることができ、しかも、カートリッジ３６の容易な挿入及び取り出しが可能である。
【００４７】
壁３８が、開口部３４から上方に延びてチャンバ２６を形成している。チャンバ２６は、この中に保持されたカートリッジ３６の全体形状と同一の全体形状のものである。チャンバ２６は、このように形状が酷似しているので、カートリッジ３６を図２に示すようにいつでも使用できる動作位置に案内するよう働く。
【００４８】
カートリッジ３６は、カートリッジ３６の一部分３７が器具２の基部６の一部をなすようチャンバ２６内に保持されている。この部分３７は、支持面３１に隣接した状態でこれと同一平面上に位置している。図２に示すように、部分３７と支持面３１は、協働して基部６を形成する。
【００４９】
弾性変形可能なアーム４２が、チャンバ２６の内面に設けられている。アーム４２は、チャンバ２６から下方に延びている。アーム４２は、ハンド４３を有し、これらハンドは、互いに向かって内方に突き出ており、各ハンド４３は、カートリッジ３６のネックを動作位置に係止するよう働くようになっている。複数のフィン４６が、チャンバ２６の内面の上端部のところに配置されており、カートリッジ３６の肩が、動作位置にあるときこの上端部に当接する。７つのフィン４６が示されているが、任意の数であって良い。フィン４６は、内面周りにファンのような態様で配置されている。
【００５０】
代表的なカートリッジ３６は、一般にＡＩＲＷＩＣＫ（ＲＴＭ）レンジの一部として用いられるウィック型液体フレグランスカートリッジである。別のカートリッジは、ゲル型カートリッジを含むが、加圧エアゾールキャニスタは、好ましくは、熱源に代えてソレノイド装置を備えている。本発明は、受動式エアフレッシュナー器具、例えばファン及びベルトシステムを備えたエアフレッシュナー器具を更に含む。
【００５１】
図２及び図３に示すように、チャンバ２６は、頂部５２によって互いに接合された後部４８と前部５０を備えている。チャンバ２６は、後部４８がケーブル３０の方に向くように差し向けられている。平面図で見て全体が三日月形のカラー５３が、頂部５２の一部周りに、そして空気香り付け器具２の第１の端部４に向かって上方に延びている。カラー５３は、以下に詳細に説明するように、頂部５２から特に後側ＬＥＤ８０からの光の広がり角度を越えた箇所まで延びている。カラー５３は、ハウジングの内部部品、例えば熱源５４又はコネクタ６０に当たって反射した光が第１の端部４上に見えるのを阻止する。
【００５２】
熱源５４は、チャンバ２６の頂部５２上に配置されている。熱源５４は、断面が全体として円形であり、全体として円形のポータル又は入口５５が、熱源の長さを貫通して延びている。図２及び図３に示すように、フランジ５６が、熱源５４の上方部分周りに約１８０°にわたり且つ後部４８を越えて外方に延びている。好ましい熱源５４は、２つの酸化被膜抵抗器から成る。熱源は、約３０オーム、１．７ワット及び７．２ボルトで動作する。当業者には理解されるように、任意適当な熱源５４、例えば巻線ヒータ、ＰＴＣヒータ、セラミックヒータ、厚膜ヒータ、薄膜ヒータ又は熱をウィック４０に供給するのに適した任意他の形式のヒータを空気香り付け器具２に組み込むのが良い。
【００５３】
熱源５４は、ラグ（出張り）５８によって頂部５２上の定位置に保持される。ラグ５８により、例えば製造中、チャンバ２６上への熱源５４の容易な組み付けを容易にするスナップ嵌めが可能である。熱源５４は、コネクタ６０により回路板２８に接続されている。
【００５４】
煙突６２が、熱源５４上に配置されている。煙突６２は、平面図で見て全体が円形であり、この煙突の内径は、０．９〜１．２ｃｍである。煙突６２の長さは、約２．５ｃｍであるが、変形実施形態では、最高３ｃｍまでであって良い。煙突６２は、その下端部に設けられた２つの直径方向反対側の切欠き６４を有している。切欠き６４は、チャネル１６の開口部１７とほぼ同じ直径のものである。任意適当な数の切欠きを煙突６２に設けても良いことが想定される。アーム６６が、スイッチ２０と協働するよう煙突６２からスロット２２を通って延びている。当業者には理解されるように、スイッチ２０は、煙突６２とは別個の部品であっても良く或いはこれと一体の部品であっても良い。空気香り付け器具２を組み立てる場合、煙突６２を、この煙突よりも僅かに直径の小さなチャネル１６によって定位置に保持する。このようにすると、煙突６２は、スイッチ２０の作動時に、チャネル１６に対して動くことができる。
【００５５】
作動ボタン７２が、ケーブル開口部２９に隣接して設けられており、この作動ボタンは、回路板２８に作動的に結合されている。作動ボタン７２は、押しボタン型のものであるが、摺動型の作動ボタンが、同様に適している。摺動型作動ボタンは、小刻みであるのが良い多くの位置に動くよう構成されているのが良い。
【００５６】
図５に示すように、回路板２８は、平面図で見て全体として蹄鉄形であり、その直径は、約８ｃｍである。回路板２８は、ケーブル３０を介して電源に接続されている。ケーブル３０は、低電圧、代表的には７．５Ｖを空気香り付け器具２に供給するよう変圧器を介して電源に接続されている。このようにすると、ユーザは、電源の電気に直接さらされることはない。
【００５７】
ＬＥＤ７４として示された複数個の光源が、回路板２８に固定されている。各ＬＥＤ７４は、特定の位置に固定されている。図５に示す構成では、５つのＬＥＤが設けられ、これらＬＥＤは、次のように、即ち、２つの前側ＬＥＤ７６、２つの中間ＬＥＤ７８及び単一の後側ＬＥＤ８０となるように回路板２８の蹄鉄形状周りに対称の配置状態で構成されている。前側ＬＥＤ７６は、軸線８５から約４９°の角度βをなしてチャンバ２６の前部５０に隣接して位置決めされている。中間ＬＥＤ７８は、軸線８５から約１１°の角度αをなしてチャンバ２６のコーナー部８２に隣接して位置決めされている。後側ＬＥＤ８０は、チャンバ２６の後部４８に隣接すると共に後部４８から距離ｄを置いて全体として後部４８の中央に位置決めされている。距離ｄは、約０．１４ｃｍである。図示の構成では、５０°の視角が、各ＬＥＤ７４について達成される。視角が５０°であるということは、光度が、ＬＥＤ７４の中心線から２５°のところで最大値の半分であることを意味している。５０°は、好ましい角度であるが、視認角の範囲としては、５°〜１８０°が挙げられる。光度は、１，０００〜５，０００ｍｃｄの範囲にあるのが良いが、好ましい光度は、３，９００ｍｃｄである。ピーク波長は、可視領域、ＵＶ領域又はＩＲ領域の波長範囲にあるのが良いが、好ましいピーク波長は、５８９ｎｍである。スペクトル放射線帯域幅は、５〜５０ｎｍであるのが良いが、図示の実施形態では、好ましい帯域幅は、３０ｎｍである。
【００５８】
回路板２８と実質的に同一の寸法形状を有するフィルタ要素が、ＬＥＤの上方でこれらに隣接してシャーシ１０に取り付けられている。フィルタ要素は、器具２内で回転することができる。フィルタ要素は、多数の、例えば５つの視認窓を備えている。各窓は、光が窓を通過するよう１つのＬＥＤ７４と整列するよう位置決めされている。
【００５９】
図６ａ及び図６ｂは、４つ又は５つのＬＥＤがそれぞれ設けられた別の回路板を示している。図６ａの構成では、望ましくない影が陰影線により示されているように４つのＬＥＤによって作られる。図６ｂでは、５つのＬＥＤが、器具に設けられている。この構成では、シャドウイングは、最小限に抑えられる。
【００６０】
図７ａ及び図７ｂは、これらの場合も又、４つ又は５つのＬＥＤをそれぞれ器具上に位置決めするための構成例を示している。図７ａでは、器具２の基部６に設けられた開口部３４の位置により、ＬＥＤ７４の配置場所及び個数と相まって、通気穴３２を通して見たときのカートリッジ３６の視認性が低下する。しかしながら、図７ｂの構成では、視認性は、開口部３４の配置場所並びに各ＬＥＤ７４の個数及び位置決めの仕方により実質的に増大している。視認性距離Ｘは、図７ｂでは減少しており、それにより、消費者は、カートリッジ３６を容易に見ることができる。
【００６１】
シェード８及びチャンバ２６に対するＬＥＤ７４の位置決めにより、器具２にろうそく様の効果を生じさせる構成が得られる。この効果は、主として、各ＬＥＤ７４からの光が図８ａ及び図８ｂに示されているように予測可能且つ組織化された仕方で、チャンバ２６の壁及びカラー５３に当たって反射してシェード８の内面に当たることに起因している。これらの図の矢印は、光が器具２内で進む予測方向及び光が選択された表面でどのように反射されるかを概略的に示している。
【００６２】
本発明によって提供される構成は、光が器具２内部で構成部品に当たってランダムに反射することにより作られる望ましくない影の問題を解決している。器具２の第１の端部４上に作られる望ましくないシャドウイングの一例が、図９ａに概略的に示されている。図９ａでは、図に“Ａ”として示された影は、光が器具２の内部の部品、特にコネクタ６０及びチャンバ２６に当たって反射することにより第１の端部４上に生じている。効果“Ａ”は、消費者にとって望ましくない。図９ｂは、フランジ５６が熱源５４に設けられた本発明の構成例を示している。フランジ５６は、コネクタ６０を通って延びていて、コネクタ６０で反射された光が第１の端部４上の影として投影されるのを阻止する。その代わり、Ｂ，Ｃで表示された挿絵によって示されているように、望ましく且つ目で見てアピールする影が、第１の端部４上に作られる。影は、任意形状のものであって良い。例えば、子供の部屋で用いる場合、形状は、星形であるのが良く、又、孔１４回りに回転するのが良い。これは、フランジ５６が器具２内で回転することによって達成できる。
【００６３】
ＬＥＤ７４は、同一の色のものであっても良く、互いに異なる色のものであっても良い。色は、例えば黄色、橙色、白色、赤色、青色又は緑色である。変形例として、少なくとも１つの単一のＲＧＢ型のＬＥＤを器具２内に組み込んでも良い。各ＬＥＤ７４から出た光を変調させるのが良い。別のＬＥＤについて動作モードと一緒に以下に詳細に説明する。
【００６４】
ＬＥＤ７４には考えられる多くの動作モードが存在する。ＲＧＢ型ＬＥＤ又は別個の赤色ＬＥＤ、緑色ＬＥＤ及び青色ＬＥＤを用いて各モードを生じさせることができる。
【００６５】
第１のモードは、虹モードと呼ばれている。虹モードは、好ましくは、約１０秒間で好ましくは連続したシーケンスで色の全てを循環する（サイクル動作する）。消費者がサイクル時間を好ましくは２．５秒、５秒、１０秒、２０秒若しくは４０秒又はこれらの間の任意の時間に設定することができるよう速度制御オプションが器具２に設けられている。このようにする際、例えば、赤色ＬＥＤ７４の強度をゆっくりと減少させ、他方、青色ＬＥＤ７４の強度をゆっくりと増大させる。これにより生じる効果は、赤色から紫色を通って青色に至る色スペクトルの緩やかな変化である。同じ効果は、色スペクトルを通る円滑なサイクルを達成するよう器具２内に存在する緑色ＬＥＤ７４に関して実施される。
【００６６】
第２のモードは、少なくとも１つのＲＧＢ型ＬＥＤを用いるＲＧＢビートモードである。ＲＧＢビートモードは、好ましくは虹モードと同一のシーケンスで色を循環するが、光は、ビート効果を与えるよう各色相互間でパルスオフする。「オフサイクル（off cycle）」は、約１秒間で光強度が緩やかに減少し、次に増大する。全体的な色サイクルは、好ましくは、１０秒かかる。消費者がサイクル時間を好ましくは２．５秒、５秒、１０秒、２０秒若しくは４０秒又はこれらの間の任意の時間に設定することができるよう速度制御オプションが器具２に設けられている。「オフサイクル」の間隔は、好ましくは、サイクル時間に比例して変化する。
【００６７】
変形例として、ビートモードを単色ＬＥＤ７４で実施することができる。単色ＬＥＤを用いる場合、消費者は、これらの選択された色を選択し、光は、この色でパルスオンしたりパルスオフしたりする。全サイクル時間は、好ましくは６秒である。「オフサイクル」は、好ましくは１秒間で光強度が緩やかに減少し、次に増大する。消費者がサイクル時間を好ましくは２．５秒、５秒、１０秒、２０秒若しくは４０秒又はこれらの間の任意の時間に設定することができるよう速度制御オプションが器具２に設けられている。「オフサイクル」の間隔は、好ましくは、サイクル時間に比例して変化する。
【００６８】
別のモードは、静的モードである。静的モードにより、消費者は、静的な光のグロー（glow）を達成するために考えられる色のうち任意のものを選択することができる。
【００６９】
さらに別のモードは、パルスモードである。パルスモードは、ビートモードと類似しているが、「オフサイクル」は、好ましくは、２つのオフ期間から成り、心臓拍動効果を与える。全サイクル時間は、好ましくは８秒である。光は、２秒間完全にオンであり、光の強度は、１秒間にわたり緩やかに低下し、次に、１秒間緩やかに増大する。次に、光は、１秒間、強度が緩やかに減少し、１秒間完全にオフに保たれ、その後、強度が２秒間緩やかに増大する。消費者がサイクル時間を好ましくは２．５秒、５秒、１０秒、２０秒若しくは４０秒又はこれらの間の任意の時間に設定することができるよう速度制御オプションが器具２に設けられている。「オフサイクル」の間隔は、好ましくは、サイクル時間に比例して変化する。
【００７０】
ＲＧＢサイクルモードは、色が器具内を動き回るという効果を与える。このモードでは、各ＲＧＢ型ＬＥＤ（又は赤色ＬＥＤ、緑色ＬＥＤ及び青色ＬＥＤのクラスタ）は、任意の一時点では異なる色である。例えば、３つのＬＥＤを用いる場合、シーケンスの開始時においては、１つは赤色（ＬＥＤ１）、１つは緑色（ＬＥＤ２）、１つは青色（ＬＥＤ３）である。次に、ＬＥＤ１は、赤色から緑色にゆっくりと循環し、他方、ＬＥＤ２は、緑色から青色に循環し、ＬＥＤ３は、青色から赤色に循環し、以下同様である。全サイクル時間は、１０秒である。消費者がサイクル時間を好ましくは２．５秒、５秒、１０秒、２０秒若しくは４０秒又はこれらの間の任意の時間に設定することができるよう速度制御オプションが器具２に設けられている。
【００７１】
ろうそくモードは、黄色ＬＥＤ又はＲＧＢ型ＬＥＤにより達成される黄色を用いる。このモードでは、１つ又は２つ以上のＬＥＤが、静的黄色モードに保持され、他方、１つ又は２つ以上の他のＬＥＤは、黄色モードでオン／オフに切り替えられてゆらゆら効果を生じさせる。オン／オフサイクルは、一般的に迅速であり、オン及びオフは、好ましくは、等しい持続時間のものであり、好ましくは５回のサイクルが、１秒毎に達成される。消費者は、パルス速度を変化させることができる。
【００７２】
ＬＥＤ７４の動作モードは、ろうそくのゆらゆら又はちらつきに良く似ているゆらゆら又はちらつき効果を生じさせることができる。さらに、プログラムされた期間にわたり、フレグランスの強度の変化に一致するのが良い効果をもたらすことができる。例えば、赤色のろうそくは、フレグランスの強い強度に一致するのが良く、フレグランスは、ＬＥＤが橙色に変わると、強度が減少する。この効果をＬＥＤと協働して働くフィルタ要素の使用により高めることができる。
【００７３】
図１０は、複数個のカートリッジ１３６がチャンバ１２６内に収容された本発明の変形実施形態を示している。４つのカートリッジ１３６が示されているが、任意適当な数を器具１００内に組み込んでも良い。各カートリッジ１３６の一部分１３７は、器具１００の支持面１３１と一緒に器具１００の基部１０６の一区分を形成する。
【００７４】
別の実施形態では、回路遮断器が、電気回路に組み込まれている。例えばフレグランスカートリッジを器具２内に配置したとき又はシェード８をシャーシ１０に取り付けたとき、回路遮断器を動作させて回路を閉じる（閉路する）のが良い。一実施形態では、かかる回路遮断器は、磁気リードスイッチから成るのが良い。
【００７５】
別の実施形態では、認識システムが器具２に設けられている。認識システムは、電子識別手段を備え、この電子識別手段を器具２、各シェード８及び器具に用いられるべきカートリッジに設けるのが良い。この識別手段は、好ましい取り合わせ、例えば、特定のシェードと特定のフレグランスカートリッジの取り合わせを検出する。例えばバーコードを備えたかかる認識システムの動作は、当業者には明らかであろう。
【００７６】
使用にあたり、消費者は、好ましいシェード８を選択し、このシェード８をシャーシ１０に固定する。消費者は、認識システムを用いて自分の選択を行うことができる。次に、カートリッジ３６を空気香り付け器具２のチャンバ２６の開口部３４中に差し込む。有利には、通気穴３２は、カートリッジ３６を挿入したりこれを取り出したりするための容易に接近可能な指かけ穴となる。チャンバの壁３８の輪郭は、カートリッジ３６を動作位置に向かって案内するよう働き、この動作位置では、ウィック４０は、チャンバ２６を通って熱源５４のポータル５５内に延び、ウィック４０の端部は、熱源５４の端部と同一直線上に位置する。カートリッジ３６の肩は、チャンバ２６のフィン４６に当接する。カートリッジ３６のネックをアーム４２に押し付け、これらアームは、カートリッジ３６を受け入れるよう弾性変形する。この位置では、空気香り付け器具２は、動作位置に解除自在に保持される。
【００７７】
動作位置では、カートリッジ３６は、器具２内に嵌まり込んでカートリッジ３６の部分３７がシャーシ１０の支持面３１と同一の平面内に位置するようになる。カートリッジ３６の部分３７と支持面３１は一緒になって、器具の基部６を形成する。この形態により、器具２の水平基部６が達成される。ユーザは、器具２を表面上に置くことができ、この器具は、安定した形態のままである。この位置では、カートリッジ３６の一部分は、シャーシ１０のスカート２４の通気穴３２により消費者に見える状態のままである。これにより、消費者は、特にカートリッジ３６の寿命の終わりに近づいているときに、カートリッジ３６内に残っている液体の液位をモニタすることができる。
【００７８】
電力を空気香り付け器具２に供給するために、ケーブル３０を電源に接続する。ケーブル３０は、ほぼ７．５Ｖを器具２に供給する変圧器を介して延びている。このようにする際、消費者は、電源の電気ショックを被る危険性に直接的にはさらされない。理解されるように、低電圧電力源の別の形態、例えば、低電圧電池電力を組み込んでも良い。
【００７９】
電力は、接続時にコネクタ６０に送られて熱源５４を加熱する。さらに、作動ボタン７２を動作位置に押すことにより空気香り付け器具２内のＬＥＤ７４をオンに切り替えるのが良い。変形構成では、作動ボタン７２は、ＬＥＤ７４又は熱源５４のうちの一方又はこれら両方を作動させることができる。
【００８０】
電力を熱源５４に供給すると、熱がポータル５５中に輻射してウィック４０上における液体の拡散を生じさせる。スイッチ２０が「開離」位置にあるとき、切欠き６４は、開口部１７と整列してウィック４０の端部を横切る空気の実質的な流れを可能にし、それにより、フレグランスを迅速に蒸発させる。蒸気は、チャネル１６を通って上方に移動し、そして孔１４から出る。ユーザがフレグランスの強度を小さくしたいと思った場合、スイッチ２０を「部分開離」位置に動かす。この位置では、煙突６２は、チャネル１６回りに回転して切欠き６４がチャネル１６の開口部１７と部分的に整列するようになる。開口部１７と切欠き６４との間に生じる隙間により、最小限ではあるが、連続した空気流が器具２中に作られ、このことは、器具２の内面上に実質的に凝縮が生じないようにするのを助ける。器具２内部に凝縮が起こることは、液体が電気部品、特にＰＣＢ上に流れて器具２を損傷させるので望ましくない。
【００８１】
空気香り付け器具２は、消費者に視覚的に印象を与えると同時にフレグランスディスペンサとして働く。光がチャンバ及びシェードの特定の表面に向かって差し向けられることにより生じる光の効果は、消費者には使用中ゆらゆらとした動きを生じるろうそくの炎のように見え、従って、潜在的に非常に危険なろうそくを燃焼させるはっきりとした必要性は存在しない。この効果は、消費者が好ましい動作モードを選択することにより一段と高められる。さらに、光の効果は、器具の内部部品の見苦しいシャドウイングによって弱められることはない。というのは、カラー５３とフランジ５６は、かかる効果を最小限に抑えるよう協働するように構成されているからである。また、器具２の滑らかな内面は、望ましくないシャドウイングが最小限に抑えられるのを一段と保証する。特に、内面に設けられているスナップ嵌め部又はねじ先には尖ったコーナー部が実質的に存在しない。
【００８２】
器具２のシェード８を交換できるようにすることにより、消費者には器具２の外観の選択肢が与えられる。さらに、特定のシェードが、識別手段を備えることができるので、シェードを特定のカートリッジフレグランスに合わせることができる。認識手段は、シェード及びカートリッジに取り付けられた互いに協働する機械的部品を用いた機械式のものであるのが良い。認識手段は又、ＬＥＤの特定モードの動作を生じさせることができる。
【００８３】
通気穴３２は、消費者にとって視認窓となる。この特徴のアピール度は、カートリッジ３６，１３６を透明な材料で作り、この中に入っている流体を着色すると、高められる。複数個のカートリッジが提供される場合、各カートリッジは、異なる着色流体を収容するのが良い。また、カートリッジが透明であることにより、消費者にはカートリッジがどれほど一杯であるか及びこの交換時期に関する視覚表示が与えられる。
【００８４】
カートリッジをガラスで作ることが好ましい。ガラスは、衝撃に耐えるのに十分厚手に吹込成形できる頑丈な材料である。ガラスの製造品は、一般に、プラスチックの射出成形に起因して生じる場合のある鋭利な縁を生じさせることはない。さらに、ガラスは、フレグランスと熱の組み合わせと両立する。
【００８５】
器具の基部の一部をなすカートリッジの一部分の形態は、チャンバの支持面と共に、器具を構成するのに必要な材料を少なくする。したがって、器具の製造費は、まとまった一体成形基部を有する器具と比較して少ない。
【００８６】
構成部品をシャーシ１０内に設けることにより、動作部品が器具上の一箇所に収容されるようになる。これにより、シェードが構成部品をも支持した場合よりもシェードをより単純に作ることができる。さらに、シェードは、構成部品を備えていないので、消費者は、シェードをシャーシ上で容易に交換することができ、この場合、消費者は、電機部品又は器具が稼働できるようにする他のかかる部品を接続する必要はない。この構成により、消費者には器具の外観の選択肢が与えられ、それと同時に、選択したシェードをシャーシに取り付けている間に消費者が器具を損傷させる恐れが制限される。
【００８７】
チャンバは、プラスチック材料で作られるのが良い。特に適当なプラスチック材料は、性状が不透明なプラスチック材料、例えばポリプロピレンである。このようにした場合、不透明な領域は、内部構成部品を隠すのに役立つ。
【００８８】
本発明は、フレグランスの使用には限定されず、害虫駆除用の液体、蒸発可能な医薬品、例えばコンジェッションを緩和するための調合薬への使用に同様に適している。害虫駆除に用いられる場合、光源は、好ましくはＵＶ光、特にＵＶ殺菌光である。
【００８９】
器具は、電源電力リード線に接続された状態で示されているが、器具は、ドッキングステーション及び充電可能な電池を有しても良いということが想定される。かかる構成により、消費者は、器具を家及び外部、例えば庭先まで持ち運ぶことができる。器具は、庭で用いられる場合、好ましくは害虫駆除用に構成される。
【００９０】
本願に関して本明細書の提出と同日に又はこれに先立って出願され、本明細書に関する大衆の審査又は点検のために公開された全ての論文及び文献に向けられ、かかる論文及び文献の全ての内容を参照により引用し、その記載内容を本明細書の一部とする。
【００９１】
本明細書（添付の特許請求の範囲、要約書及び図面を含むものとする）に開示された特徴の全て及び（又は）開示された方法又はプロセスのステップの全てを任意の組み合わせで組み合わせることができ、ただし、かかる特徴及び（又は）ステップのうちの少なくとも幾つかが相互に矛盾するような組み合わせは除かれる。
【００９２】
本明細書（添付の特許請求の範囲、要約書及び図面を含むものとする）に開示された各特徴に代えて、特に断らないかぎり、同一の目的、同等の目的又は類似した目的に役立つ別の特徴を用いることができる。かくして、特に断らないかぎり、開示した各特徴は、属としての一連の均等な又は類似した特徴の一例に過ぎない。
【００９３】
本発明は、上記実施形態の細部には限定されない。本発明は、本明細書（添付の特許請求の範囲、要約書及び図面を含むものとする）に開示された特徴のうちの任意の新規な１つ若しくは任意の新規な組み合わせ又は開示された方法又はプロセスのステップの任意の新規な１つ若しくは任意の新規な組み合わせにまで及ぶ。
【図面の簡単な説明】
【００９４】
【図１】本発明の空気に香り付けする器具の概略斜視図である。
【図２】カートリッジを備えた空気香り付け器具の概略断面側面図である。
【図３】空気香り付け器具の一部の概略斜視図である。
【図４】空気香り付け器具の概略断面図である。
【図５】空気香り付け器具の一部の概略平面図である。
【図６ａ】空気香り付け器具の概略平面図である。
【図６ｂ】空気香り付け器具の概略平面図である。
【図７ａ】空気香り付け器具の別の概略平面図である。
【図７ｂ】空気香り付け器具の別の概略平面図である。
【図８ａ】空気香り付け器具の概略斜視図である。
【図８ｂ】空気香り付け器具の概略断面図である。
【図９ａ】空気香り付け器具の概略断面側面図である。
【図９ｂ】空気香り付け器具の概略断面側面図である。
【図１０】空気香り付け器具を下から見た略図である。
【図１】
2009512474.tif 000003
【図２】
2009512474.tif 000004
【図３】
2009512474.tif 000005
【図４】
2009512474.tif 000006
【図５】
2009512474.tif 000007
【図６ａ】
2009512474.tif 000008
【図６ｂ】
2009512474.tif 000009
【図７ａ】
2009512474.tif 000010
【図７ｂ】
2009512474.tif 000011
【図８ａ】
2009512474.tif 000012
【図８ｂ】
2009512474.tif 000013
【図９ａ】
2009512474.tif 000014
【図９ｂ】
2009512474.tif 000015
【図１０】
2009512474.tif 000016
【国際調査報告】
2009512474.tif 000017
2009512474.tif 000018
2009512474.tif 000019
2009512474.tif 000020
2009512474.tif 000021
2009512474.tif 000022
2009512474.tif 000023